(57)【要約】【課題】プリント画の単価が１円単位で設定されている場合でも簡易かつ公平に料金を決済できるプリント装置を提供することを目的とする。【解決手段】Ｓ４６では、プリント種類Ｐに対応する料金Ｆｐが所定の閾値Ｆ０を超えるか否かを判断する。Ｆｐ＞Ｆ０の場合はＳ４７に移行し、Ｆｐ≦Ｆ０の場合はＳ４８に移行する。Ｓ４７では、Ｆｐ＝Ｆｐ−ａｐとして記憶部１６に記憶する。即ち、料金Ｆｐの１０円未満の端数ａｐを切り捨てる。Ｓ４８では、Ｆｐ＝Ｆｐ＋１０−ａｐとして記憶部１６に記憶する。即ち、料金Ｆｐの１０円未満の端数ａｐを切り上げる。【選択図】  図５
2005309830.tif 000002
【特許請求の範囲】
【請求項１】
流通している硬貨のうちの最小額の硬貨である第１の硬貨の単位で設定されたプリント１枚当たりの単価を記憶する記憶部と、
プリントの画像及び枚数の指定を含むプリント注文を受け付ける注文受付部と、
前記プリント注文で指定された枚数及び前記単価に基づいて前記プリントの料金である第１決済料金を算出し、前記第１決済料金から前記第１の硬貨の単位の端数を切り上げた額である第２決済料金を決済額として算出する料金算出部と、
前記決済額を表示する表示部と、
流通している硬貨のうちの最小額の硬貨よりも金額の大きい第２の硬貨以上の硬貨又は紙幣を使用し、前記決済額を現金決済する決済部と、
前記決済及び前記プリント注文に基づいてプリント出力を行うプリント出力部と、
を備え、
前記表示部は前記第１決済料金、前記端数又は前記第２決済料金から前記第１決済料金を控除した差額をさらに表示し、
前記注文受付部は前記プリント注文の枚数の変更を受け付けるプリント装置。
【請求項２】
流通している硬貨のうちの最小額の硬貨である第１の硬貨の単位で設定されたプリント１枚当たりの単価を記憶する記憶部と、
プリントの画像及び枚数の指定を含むプリント注文を受け付ける注文受付部と、
前記プリント注文で指定された枚数及び前記単価に基づいて前記プリントの決済料金である第１決済料金を算出し、前記第１決済料金と所定の閾値との大小を比較し、前記第１決済料金が前記所定の閾値を超える場合は前記第１決済料金から前記第１の硬貨の単位の端数を切り捨てた額を決済額として算出し、前記第１決済料金が前記所定の閾値以下の場合は前記第１決済料金から前記第１の硬貨の単位の端数を切り上げた額を決済額として算出する料金算出部と、
前記決済額を表示する表示部と、
流通している硬貨のうちの最小額の硬貨よりも金額の大きい第２の硬貨以上の硬貨又は紙幣を使用し、前記決済額を現金決済する決済部と、
前記決済及び前記プリント注文に基づいてプリント出力を行うプリント出力部と、
を備えるプリント装置。
【請求項３】
前記記憶部は前記単価をプリントの種類に対応させて記憶し、
前記料金算出部は各プリントの種類に対応した第１決済料金を合計した第３決済料金を算出し、前記第３決済料金が前記閾値を超える場合、前記第３決済料金から前記第１の硬貨の単位の端数を切り捨てた額を決済額として算出し、
前記決済部は前記決済額を現金決済する請求項２に記載のプリント装置。
【請求項４】
流通している硬貨のうちの最小額の硬貨である第１の硬貨の単位で設定されたプリント１枚当たりの単価を記憶する記憶部と、
プリントの画像及び枚数の指定を含むプリント注文を受け付ける注文受付部と、
前記プリント注文で指定された枚数及び前記単価に基づいて前記プリントの決済料金である第１決済料金を算出し、前記第１決済料金から前記第１の硬貨の単位の端数を切り上げた額である第２決済料金を決済額として算出する料金算出部と、
前記決済額を表示する表示部と、
流通している硬貨のうちの最小額の硬貨よりも金額の大きい第２の硬貨以上の硬貨を使用し、前記決済額を現金決済する決済部と、
前記第２決済料金から前記第１決済料金を控除した差額を所定の記録媒体に記録させる差額記録制御部と、
前記決済及び前記プリント注文に基づいてプリント出力を行うプリント出力部と、
を備えるプリント装置。
【請求項５】
前記所定の記録媒体はコンピュータ読み取り可能な記録媒体である請求項４に記載のプリント装置。
【請求項６】
前記料金算出部は前記第１決済料金から前記所定の記憶媒体に記憶された差額を控除した額を新たな第１決済料金とする請求項５に記載のプリント装置。
【請求項７】
ユーザに一意的に付与された識別情報に基づいてユーザを認証する認証部をさらに備え、
前記差額記録制御部は前記現金決済の完了に応じて前記認証されたユーザの識別情報と前記差額とを対応づけて記憶する請求項５に記載のプリント装置。
【請求項８】
前記料金算出部は前記第１決済料金から前記認証されたユーザの識別情報に対応する差額を控除した額を新たな第１決済料金とする請求項７に記載のプリント装置。
【請求項９】
前記所定の記録媒体は前記現金決済の結果が印刷されたレシートである請求項４に記載のプリント装置。
【請求項１０】
流通している硬貨のうちの最小額の硬貨である第１の硬貨の単位で設定されたプリント１枚当たりの単価を記憶する記憶部と、
プリントの画像及び枚数の指定を含むプリント注文を受け付ける注文受付部と、
前記プリント注文で指定された枚数及び前記単価に基づいて前記プリントの決済料金を算出する料金算出部と、
前記決済料金を決済額として表示する表示部と、
前記決済料金を決済額として所定の記憶媒体に記憶された残高の範囲内で電子決済する決済部と、
前記決済及び前記プリント注文に基づいてプリント出力を行うプリント出力部と、
を備え、
前記注文受付部は前記残高から前記決済料金を控除した額が前記単価以上である場合、前記プリント注文の追加を受け付けるプリント装置。
【請求項１１】
前記第１の硬貨は１円硬貨であり、前記第２の硬貨は１０円硬貨である請求項１〜１０のいずれかに記載のプリント装置。
【請求項１２】
流通している硬貨のうちの最小額の硬貨である第１の硬貨の単位で設定されたプリント１枚当たりの単価を記憶する記憶部と、
プリントの画像及び枚数の指定を含むプリント注文を受け付ける注文受付部と、
前記プリント注文で指定された枚数及び前記単価に基づいて前記プリントの決済料金である第１決済料金を算出し、前記枚数と所定の閾値との大小を比較し、前記枚数が前記所定の閾値を超える場合は前記第１決済料金から前記第１の硬貨の単位の端数を切り捨てた額を決済額として算出し、前記枚数が前記所定の閾値以下の場合は前記第１決済料金から前記第１の硬貨の単位の端数を切り上げた額を決済額として算出する料金算出部と、
前記決済額を表示する表示部と、
流通している硬貨のうちの最小額の硬貨よりも金額の大きい第２の硬貨以上の硬貨又は紙幣を使用し、前記決済額を現金決済する決済部と、
前記決済及び前記プリント注文に基づいてプリント出力を行うプリント出力部と、
を備えるプリント装置。
【請求項１３】
流通している硬貨のうちの最小額の硬貨である第１の硬貨の単位で設定されたプリント１枚当たりの単価を記憶する記憶ステップと、
プリントの画像及び枚数の指定を含むプリント注文を受け付ける注文受付ステップと、
前記プリント注文で指定された枚数及び前記単価に基づいて前記プリントの料金である第１決済料金を算出し、前記第１決済料金から前記第１の硬貨の単位の端数を切り上げた額である第２決済料金を決済額として算出する料金算出ステップと、
前記決済額を表示する表示ステップと、
流通している硬貨のうちの最小額の硬貨よりも金額の大きい第２の硬貨以上の硬貨又は紙幣を使用し、前記決済額を現金決済する決済ステップと、
前記決済及び前記プリント注文に基づいてプリント出力を行うプリント出力ステップと、
を備え、
前記表示ステップは前記第１決済料金、前記端数又は前記第２決済料金から前記第１決済料金を控除した差額をさらに表示し、
前記注文受付ステップは前記プリント注文の枚数の変更を受け付けるプリント注文受付方法。
【請求項１４】
流通している硬貨のうちの最小額の硬貨である第１の硬貨の単位で設定されたプリント１枚当たりの単価を記憶する記憶ステップと、
プリントの画像及び枚数の指定を含むプリント注文を受け付ける注文受付ステップと、
前記プリント注文で指定された枚数及び前記単価に基づいて前記プリントの決済料金である第１決済料金を算出し、前記第１決済料金と所定の閾値との大小を比較し、前記第１決済料金が前記所定の閾値を超える場合は前記第１決済料金から前記第１の硬貨の単位の端数を切り捨てた額を決済額として算出し、前記第１決済料金が前記所定の閾値以下の場合は前記第１決済料金から前記第１の硬貨の単位の端数を切り上げた額を決済額として算出する料金算出ステップと、
前記決済額を表示する表示ステップと、
流通している硬貨のうちの最小額の硬貨よりも金額の大きい第２の硬貨以上の硬貨又は紙幣を使用し、前記決済額を現金決済する決済ステップと、
前記決済及び前記プリント注文に基づいてプリント出力を行うプリント出力ステップと、
を備えるプリント注文受付方法。
【請求項１５】
流通している硬貨のうちの最小額の硬貨である第１の硬貨の単位で設定されたプリント１枚当たりの単価を記憶する記憶ステップと、
プリントの画像及び枚数の指定を含むプリント注文を受け付ける注文受付ステップと、
前記プリント注文で指定された枚数及び前記単価に基づいて前記プリントの決済料金である第１決済料金を算出し、前記第１決済料金から前記第１の硬貨の単位の端数を切り上げた額である第２決済料金を決済額として算出する料金算出ステップと、
前記決済額を表示する表示ステップと、
流通している硬貨のうちの最小額の硬貨よりも金額の大きい第２の硬貨以上の硬貨を使用し、前記決済額を現金決済する決済ステップと、
前記第２決済料金から前記第１決済料金を控除した差額を所定の記録媒体に記録させる差額記録制御ステップと、
前記決済及び前記プリント注文に基づいてプリント出力を行うプリント出力ステップと、
を備えるプリント注文受付方法。
【請求項１６】
流通している硬貨のうちの最小額の硬貨である第１の硬貨の単位で設定されたプリント１枚当たりの単価を記憶する記憶ステップと、
プリントの画像及び枚数の指定を含むプリント注文を受け付ける注文受付ステップと、
前記プリント注文で指定された枚数及び前記単価に基づいて前記プリントの決済料金を算出する料金算出ステップと、
前記決済料金を決済額として表示する表示ステップと、
前記決済料金を決済額として所定の記憶媒体に記憶された残高の範囲内で電子決済する決済ステップと、
前記決済及び前記プリント注文に基づいてプリント出力を行うプリント出力ステップと、
を備え、
前記注文受付ステップは前記残高から前記決済料金を控除した額が前記単価以上である場合、前記プリント注文の追加を受け付けるプリント注文受付方法。
【請求項１７】
流通している硬貨のうちの最小額の硬貨である第１の硬貨の単位で設定されたプリント１枚当たりの単価を記憶する記憶ステップと、
プリントの画像及び枚数の指定を含むプリント注文を受け付ける注文受付ステップと、
前記プリント注文で指定された枚数及び前記単価に基づいて前記プリントの決済料金である第１決済料金を算出し、前記枚数と所定の閾値との大小を比較し、前記枚数が前記所定の閾値を超える場合は前記第１決済料金から前記第１の硬貨の単位の端数を切り捨てた額を決済額として算出し、前記枚数が前記所定の閾値以下の場合は前記第１決済料金から前記第１の硬貨の単位の端数を切り上げた額を決済額として算出する料金算出ステップと、
前記決済額を表示する表示ステップと、
流通している硬貨のうちの最小額の硬貨よりも金額の大きい第２の硬貨以上の硬貨又は紙幣を使用し、前記決済額を現金決済する決済ステップと、
前記決済及び前記プリント注文に基づいてプリント出力を行うプリント出力ステップと、
を備えるプリント注文受付方法。
【請求項１８】
請求項１３〜１７のいずれかに記載のプリント注文受付方法をコンピュータに実行させるためのプログラム。
【発明の詳細な説明】
【技術分野】
【０００１】
本発明はプリント装置に係り、特にプリント料金を決済した上でプリント物の提供を行うセルフ型のプリント装置に関する。
【背景技術】
【０００２】
従来、商品や役務の提供の際に支払う料金を決済するための様々な装置が開発されている。例えば、特許文献１の硬貨払出装置によると、釣り銭の払い出し時間を短縮するため、現有硬貨の内容に応じ、硬貨の合計枚数が最小となるよう払い出しに必要な金種別硬貨の枚数を決定する。また、特許文献２のビデオプリント装置によると、指定手段によってプリント画が同じ内容のものであると指定されたとき、ビデオプリンタによってプリントされるプリント画の枚数に応じた料金の金額が、現金収納手段によって収納された現金の金額を超えない範囲で、最大枚数の同じ内容のプリント画をプリントするようにビデオプリンタを制御する。
【特許文献１】特開平１１−２２４３６８号公報
【特許文献２】特開平９−８３９４３号公報
【発明の開示】
【発明が解決しようとする課題】
【０００３】
ところで、近年のセルフ型プリント装置のプリント料金は１円単位の価格競争が行われているため、１円単位で価格設定が行われるのが通常である。この場合、特許文献２のビデオプリント装置に特許文献１の硬貨払出装置を用いてプリント料金の決済を行うとすると、払い戻しができるのは１０円単位であるため、釣り銭の払い出しに１０円未満の過不足が生じる。この場合、端数を１０円に切り上げた額を決済してユーザに切り上げ分の料金を負担させるか、あるいは端数を切捨てて決済してプリント端末の管理者に切捨てた端数を負担させることが考えられる。しかし、ユーザあるいは管理者に一方的に端数を負担させるのは公平でない。あるいは、１円単位の釣り銭払い出し装置を設けることも考えられるが、実際にはそのような装置を開発するコストや、１円の釣り銭を用意するコストや決済の手間を考慮すると、問題が多い。
【０００４】
本発明はこのような問題点に鑑みてなされたもので、プリント画の単価が１円単位で設定されている場合でも簡易かつ公平に料金を決済できるプリント装置を提供することを目的とする。
【課題を解決するための手段】
【０００５】
上述の課題を解決するため、請求項１に係る発明は、流通している硬貨のうちの最小額の硬貨である第１の硬貨の単位で設定されたプリント１枚当たりの単価を記憶する記憶部と、プリントの画像及び枚数の指定を含むプリント注文を受け付ける注文受付部と、前記プリント注文で指定された枚数及び前記単価に基づいて前記プリントの料金である第１決済料金を算出し、前記第１決済料金から前記第１の硬貨の単位の端数を切り上げた額である第２決済料金を決済額として算出する料金算出部と、前記決済額を表示する表示部と、流通している硬貨のうちの最小額の硬貨よりも金額の大きい第２の硬貨以上の硬貨又は紙幣を使用し、前記決済額を現金決済する決済部と、前記決済及び前記プリント注文に基づいてプリント出力を行うプリント出力部と、を備え、前記表示部は前記第１決済料金、前記端数又は前記第２決済料金から前記第１決済料金を控除した差額をさらに表示し、前記注文受付部は前記プリント注文の枚数の変更を受け付ける。
【０００６】
この発明によると、端数を切り上げた第２決済料金で決済を行うため第１の硬貨を決済に使用する必要がなく、かつ切り上げが出ないように注文を変更するよう促すことができる。
【０００７】
請求項２に係る発明は、流通している硬貨のうちの最小額の硬貨である第１の硬貨の単位で設定されたプリント１枚当たりの単価を記憶する記憶部と、プリントの画像及び枚数の指定を含むプリント注文を受け付ける注文受付部と、前記プリント注文で指定された枚数及び前記単価に基づいて前記プリントの決済料金である第１決済料金を算出し、前記第１決済料金と所定の閾値との大小を比較し、前記第１決済料金が前記所定の閾値を超える場合は前記第１決済料金から前記第１の硬貨の単位の端数を切り捨てた額を決済額として算出し、前記第１決済料金が前記所定の閾値以下の場合は前記第１決済料金から前記第１の硬貨の単位の端数を切り上げた額を決済額として算出する料金算出部と、前記決済額を表示する表示部と、流通している硬貨のうちの最小額の硬貨よりも金額の大きい第２の硬貨以上の硬貨又は紙幣を使用し、前記決済額を現金決済する決済部と、前記決済及び前記プリント注文に基づいてプリント出力を行うプリント出力部とを備える。
【０００８】
この発明によると、第１決済料金の大小に応じて端数の切り上げ・切り捨てを行うため第１の硬貨を決済に使用する必要がなく、かつ端数の切り上げ・切り捨ての負担を料金の大小に応じてユーザ又はプリント販売者に公平に分担させることが可能となる。
【０００９】
請求項３に係る発明は、請求項２に記載のプリント装置において、前記記憶部は前記単価をプリントの種類に対応させて記憶し、前記料金算出部は各プリントの種類に対応した第１決済料金を合計した第３決済料金を算出し、前記第３決済料金が前記閾値を超える場合、前記第３決済料金から前記第１の硬貨の単位の端数を切り捨てた額を決済額として算出し、前記決済部は前記決済額を現金決済する。
【００１０】
この発明によると、プリントの種類に対応する端数が個々に切り捨てられて切捨て額の総計が拡大し、プリント販売者の負担が過大となるのを防止できる。
【００１１】
請求項４に係る発明は、流通している硬貨のうちの最小額の硬貨である第１の硬貨の単位で設定されたプリント１枚当たりの単価を記憶する記憶部と、プリントの画像及び枚数の指定を含むプリント注文を受け付ける注文受付部と、前記プリント注文で指定された枚数及び前記単価に基づいて前記プリントの決済料金である第１決済料金を算出し、前記第１決済料金から前記第１の硬貨の単位の端数を切り上げた額である第２決済料金を決済額として算出する料金算出部と、前記決済額を表示する表示部と、流通している硬貨のうちの最小額の硬貨よりも金額の大きい第２の硬貨以上の硬貨を使用し、前記決済額を現金決済する決済部と、前記第２決済料金から前記第１決済料金を控除した差額を所定の記録媒体に記録させる差額記録制御部と、前記決済及び前記プリント注文に基づいてプリント出力を行うプリント出力部と、を備える。
【００１２】
この発明によると、第１決済料金と第２決済料金の差額を記録媒体に記録するため、ユーザが切り上げにより負担した差額を次回の決済料金から控除することで相殺できる。
【００１３】
請求項５に係る発明は、請求項４に記載のプリント装置において、前記所定の記録媒体はコンピュータ読み取り可能な記録媒体である。
【００１４】
請求項６に係る発明は、請求項５に記載のプリント装置において、前記料金算出部は前記第１決済料金から前記所定の記憶媒体に記憶された差額を控除した額を新たな第１決済料金とする。
【００１５】
この発明によると、前回の決済時に発生した差額が第１決済料金から控除されるため、ユーザが前回の決済時の切り上げにより負担した差額を相殺できる。
【００１６】
請求項７に係る発明は、請求項５に記載のプリント装置において、ユーザに一意的に付与された識別情報に基づいてユーザを認証する認証部をさらに備え、前記差額記録制御部は前記現金決済の完了に応じて前記認証されたユーザの識別情報と前記差額とを対応づけて記憶する。
【００１７】
請求項８に係る発明は、請求項７に記載のプリント装置において、前記料金算出部は前記第１決済料金から前記認証されたユーザの識別情報に対応する差額を控除した額を新たな第１決済料金とする。
【００１８】
この発明によると、各ユーザが負担した差額を次回の決済時に相殺できる。
【００１９】
請求項９に係る発明は、請求項４に記載のプリント装置において、前記所定の記録媒体は前記現金決済の結果が印刷されたレシートである。
【００２０】
この発明によると、レシートをプリント装置の設置店などに持参することで、ポイント券として差額相当額の利用を行えるようにできる。
【００２１】
請求項１０に係る発明は、流通している硬貨のうちの最小額の硬貨である第１の硬貨の単位で設定されたプリント１枚当たりの単価を記憶する記憶部と、プリントの画像及び枚数の指定を含むプリント注文を受け付ける注文受付部と、前記プリント注文で指定された枚数及び前記単価に基づいて前記プリントの決済料金を算出する料金算出部と、前記決済料金を決済額として表示する表示部と、前記決済料金を決済額として所定の記憶媒体に記憶された残高の範囲内で電子決済する決済部と、前記決済及び前記プリント注文に基づいてプリント出力を行うプリント出力部と、を備え、前記注文受付部は前記残高から前記決済料金を控除した額が前記単価以上である場合、前記プリント注文の追加を受け付ける。
【００２２】
この発明によると、残高の範囲内で追加注文を行えるため、残高を超える決済料金の端数を現金で追加支払させるなどの手間を減らすことが期待される。
【００２３】
請求項１１に係る発明は、請求項１〜１０のいずれかに記載のプリント装置において、前記第１の硬貨は１円硬貨であり、前記第２の硬貨は１０円硬貨である。
【００２４】
一例として、第１の硬貨は１円硬貨であり、第２の硬貨は１０円硬貨であるが、第２の硬貨は１０円硬貨に限らず、５円硬貨や５０円硬貨など他の硬貨でもよい。
【００２５】
請求項１２に係る発明は、流通している硬貨のうちの最小額の硬貨である第１の硬貨の単位で設定されたプリント１枚当たりの単価を記憶する記憶部と、プリントの画像及び枚数の指定を含むプリント注文を受け付ける注文受付部と、前記プリント注文で指定された枚数及び前記単価に基づいて前記プリントの決済料金である第１決済料金を算出し、前記枚数と所定の閾値との大小を比較し、前記枚数が前記所定の閾値を超える場合は前記第１決済料金から前記第１の硬貨の単位の端数を切り捨てた額を決済額として算出し、前記枚数が前記所定の閾値以下の場合は前記第１決済料金から前記第１の硬貨の単位の端数を切り上げた額を決済額として算出する料金算出部と、前記決済額を表示する表示部と、流通している硬貨のうちの最小額の硬貨よりも金額の大きい第２の硬貨以上の硬貨又は紙幣を使用し、前記決済額を現金決済する決済部と、前記決済及び前記プリント注文に基づいてプリント出力を行うプリント出力部と、を備える。
【００２６】
この発明によると、プリントの注文枚数の大小に応じて端数の切り上げ・切り捨てを行うため第１の硬貨を決済に使用する必要がなく、かつ端数の切り上げ・切り捨ての負担をプリントの注文枚数の大小に応じてユーザ又はプリント販売者に公平に分担させることが可能となる。
【００２７】
請求項１３に係る発明は、流通している硬貨のうちの最小額の硬貨である第１の硬貨の単位で設定されたプリント１枚当たりの単価を記憶する記憶ステップと、プリントの画像及び枚数の指定を含むプリント注文を受け付ける注文受付ステップと、前記プリント注文で指定された枚数及び前記単価に基づいて前記プリントの料金である第１決済料金を算出し、前記第１決済料金から前記第１の硬貨の単位の端数を切り上げた額である第２決済料金を決済額として算出する料金算出ステップと、前記決済額を表示する表示ステップと、流通している硬貨のうちの最小額の硬貨よりも金額の大きい第２の硬貨以上の硬貨又は紙幣を使用し、前記決済額を現金決済する決済ステップと、前記決済及び前記プリント注文に基づいてプリント出力を行うプリント出力ステップと、を備え、前記表示ステップは前記第１決済料金、前記端数又は前記第２決済料金から前記第１決済料金を控除した差額をさらに表示し、前記注文受付ステップは前記プリント注文の枚数の変更を受け付ける。
【００２８】
請求項１４に係る発明は、流通している硬貨のうちの最小額の硬貨である第１の硬貨の単位で設定されたプリント１枚当たりの単価を記憶する記憶ステップと、プリントの画像及び枚数の指定を含むプリント注文を受け付ける注文受付ステップと、前記プリント注文で指定された枚数及び前記単価に基づいて前記プリントの決済料金である第１決済料金を算出し、前記第１決済料金と所定の閾値との大小を比較し、前記第１決済料金が前記所定の閾値を超える場合は前記第１決済料金から前記第１の硬貨の単位の端数を切り捨てた額を決済額として算出し、前記第１決済料金が前記所定の閾値以下の場合は前記第１決済料金から前記第１の硬貨の単位の端数を切り上げた額を決済額として算出する料金算出ステップと、前記決済額を表示する表示ステップと、流通している硬貨のうちの最小額の硬貨よりも金額の大きい第２の硬貨以上の硬貨又は紙幣を使用し、前記決済額を現金決済する決済ステップと、前記決済及び前記プリント注文に基づいてプリント出力を行うプリント出力ステップと、を備える。
【００２９】
請求項１５に係る発明は、流通している硬貨のうちの最小額の硬貨である第１の硬貨の単位で設定されたプリント１枚当たりの単価を記憶する記憶ステップと、プリントの画像及び枚数の指定を含むプリント注文を受け付ける注文受付ステップと、前記プリント注文で指定された枚数及び前記単価に基づいて前記プリントの決済料金である第１決済料金を算出し、前記第１決済料金から前記第１の硬貨の単位の端数を切り上げた額である第２決済料金を決済額として算出する料金算出ステップと、前記決済額を表示する表示ステップと、流通している硬貨のうちの最小額の硬貨よりも金額の大きい第２の硬貨以上の硬貨を使用し、前記決済額を現金決済する決済ステップと、前記第２決済料金から前記第１決済料金を控除した差額を所定の記録媒体に記録させる差額記録制御ステップと、前記決済及び前記プリント注文に基づいてプリント出力を行うプリント出力ステップと、を備える。
【００３０】
請求項１６に係る発明は、流通している硬貨のうちの最小額の硬貨である第１の硬貨の単位で設定されたプリント１枚当たりの単価を記憶する記憶ステップと、プリントの画像及び枚数の指定を含むプリント注文を受け付ける注文受付ステップと、前記プリント注文で指定された枚数及び前記単価に基づいて前記プリントの決済料金を算出する料金算出ステップと、前記決済料金を決済額として表示する表示ステップと、前記決済料金を決済額として所定の記憶媒体に記憶された残高の範囲内で電子決済する決済ステップと、前記決済及び前記プリント注文に基づいてプリント出力を行うプリント出力ステップと、を備え、前記注文受付ステップは前記残高から前記決済料金を控除した額が前記単価以上である場合、前記プリント注文の追加を受け付ける。
【００３１】
請求項１７に係る発明は、流通している硬貨のうちの最小額の硬貨である第１の硬貨の単位で設定されたプリント１枚当たりの単価を記憶する記憶ステップと、プリントの画像及び枚数の指定を含むプリント注文を受け付ける注文受付ステップと、前記プリント注文で指定された枚数及び前記単価に基づいて前記プリントの決済料金である第１決済料金を算出し、前記枚数と所定の閾値との大小を比較し、前記枚数が前記所定の閾値を超える場合は前記第１決済料金から前記第１の硬貨の単位の端数を切り捨てた額を決済額として算出し、前記枚数が前記所定の閾値以下の場合は前記第１決済料金から前記第１の硬貨の単位の端数を切り上げた額を決済額として算出する料金算出ステップと、前記決済額を表示する表示ステップと、流通している硬貨のうちの最小額の硬貨よりも金額の大きい第２の硬貨以上の硬貨又は紙幣を使用し、前記決済額を現金決済する決済ステップと、前記決済及び前記プリント注文に基づいてプリント出力を行うプリント出力ステップと、を備える。
【００３２】
請求項１８に係る発明は、請求項１３〜１７のいずれかに記載のプリント注文受付方法をコンピュータに実行させるためのプログラムである。
【００３３】
このプログラムは、ＣＤ−ＲＯＭ、ＭＯ、ＤＶＤ、半導体記憶装置その他のコンピュータ読み取り可能な記憶媒体に記憶して提供してもよい。
【発明の効果】
【００３４】
この発明によると、端数を切り上げた第２決済料金で決済を行うため第１の硬貨を決済に使用する必要がなく、かつ切り上げが出ないように注文を変更するよう促すことができる。また、この発明によると、第１決済料金又はプリント注文枚数の大小に応じて端数の切り上げ・切り捨てを行うため第１の硬貨を決済に使用する必要がなく、かつ端数の切り上げ・切り捨ての負担を料金又はプリント注文枚数の大小に応じてユーザ又はプリント販売者に公平に分担させることが可能となる。また、この発明によると、第１決済料金と第２決済料金の差額を記録媒体に記録するため、ユーザが切り上げにより負担した差額を次回の決済料金から控除することで相殺できる。また、この発明によると、残高の範囲内で追加注文を行えるため、残高を超える決済料金の端数を現金で追加支払させるなどの手間を減らすことが期待される。
【発明を実施するための最良の形態】
【００３５】
以下、添付した図面を参照し本発明の好ましい実施形態を説明する。
【００３６】
＜第１実施形態＞
［概略構成］
図１は、本発明の好ましい実施形態に係るプリント装置１の構成を示すブロック図である。プリント装置１は、スマートメディア（Solid-State Floppy Disk Card）、ＰＣカード、コンパクトフラッシュ（登録商標）、磁気ディスク、光ディスク、光磁気ディスク、メモリスティックなどの記録メディアから画像データを読み取る画像入力部１１と、操作ボタンで構成されユーザからの操作入力を受け付ける操作部１２と、プリント物を印刷するプリント出力部１３と、プリント料金を決済する料金決済部１４と、液晶ディスプレイなどで構成される表示部１５と、演算に必要なデータやプログラム並びにフレームなどの付帯画像等が記憶される記憶部１６と、各部の制御及び各種演算を行う処理部１７とを備えている。本実施形態において、料金決済部１４はユーザの挿入したカードやユーザの電子預金口座など所定の記憶媒体に記憶されている残高Ｒを読み取り、処理部１７の指示に応じて残高Ｒからプリントの料金Ｆを控除した額を所定の記憶媒体に更新記録するプリペイド式決済装置であるとし、残高Ｒは一円単位で記録されるとする。ただし、以下の説明において特に断らない限り、料金決済部１４はプリペイド式決済装置に限定する必要はなく、投入された現金の範囲内で決済を行う現金決済装置や、使用限度額の範囲内で決済を行うクレジットカード決済装置などの電子決済装置あるいはそれらの組み合わせであってもよい。
【００３７】
表示部１５は、処理部１７からの指令に従った表示を行う。ユーザは表示部１５に表示されるグラフィカル・ユーザー・インターフェース（ＧＵＩ）を通して、プリントする画像の選択、プリント枚数、プリント種類からなる設定項目を操作部１２から入力する。プリントの種類としては、プリントサイズ、マルチ画面プリントの有無、付帯画像の出力形態、ポストカード印刷の形態などを指定することができる。プリントサイズについては、＜ポストカード／Ｌ判／２Ｌ判／１６分割シール用紙／４分割シール用紙＞などを選択できる。マルチ画面プリントについては画面分割数として、＜１６分割／４分割／２分割／分割無し＞などを指定できる。付帯画像の出力形態としては、＜別用紙／２分割画面＞を指定できる。ポストカード印刷の形態としては、＜ポストカード画像の裏面／封筒／ラベルシール＞などを指定できる。以下、操作部１２から入力された設定項目を注文情報という。記憶部１６はプリント種類Ｐに対応するプリント１枚当たりの単価Ｕｐを記憶している。単価Ｕｐは１円単位で設定されている。
【００３８】
処理部１７は料金決済部１４に所定の料金が投入されたことに応じ、画像データ及び注文情報に従ってプリント出力用の画像データを生成する。以下、このプリント出力用の画像データをプリントデータといい、プリントデータを作成する処理をプリントデータ処理という。プリントデータは、プリント出力部１３に送信され、プリント出力部１３は印画動作を実行しプリント物を出力する。印画方式については、特に限定するものではなく、印画紙自体が熱によって発色するサーモ・オートクローム（ＴＡ）方式、インク滴をノズルによって印画紙に吹きつけるインクジェット方式など、種々の方式が可能である。
【００３９】
［処理の流れ］
次に、図２に基づき、処理部１７の実行する処理について説明する。Ｓ０〜Ｓ１では、操作部１２は注文情報の入力を受け付ける。具体的には、Ｓ０では、プリントの種類Ｐの選択を受け付ける。Ｓ１では、画像入力部１１から読み込んだ画像のうちプリントする１つの画像Ｉを選択させ、プリント枚数ｎの指定を受け付ける。Ｓ２では、画像Ｉのプリントの料金Ｆを、Ｆ＝Ｕｐ×ｎで算出する。料金Ｆは表示部１５に表示される。
【００４０】
Ｓ３では、料金決済部１４は所定の記憶媒体から残高Ｒを読み取る。所定の記憶媒体とは、例えばプリペイド型電子マネーサービス用カードである。Ｓ４では、料金Ｆ、残高Ｒについて、Ｆ≦Ｒを満たすか、即ち残高Ｒの範囲内で決済できるか否かを判断する。Ｆ≦Ｒを満たす場合はＳ５に移行し、満たさない場合はＳ１に戻る。即ち、残高Ｒを超える料金Ｆの決済はできない。なお、Ｆ≦Ｒを満たさない場合は残高が不足している旨を表示部１５に表示させてもよい。Ｓ５では、料金Ｆ、残高Ｒ、単価Ｕｐについて、Ｆ≦Ｒ−Ｕｐを満たすか、即ちプリント種類Ｐのプリントを残高Ｒの範囲内で少なくとも１枚プリントできるか否かを判断する。Ｆ≦Ｒ−Ｕｐを満たす場合はＳ６に移行し、満たさない場合はＳ７に移行する。
【００４１】
Ｓ６では、プリント種類Ｐで他の画像もプリントできる旨を表示部１５に表示し、他の画像もプリントするか否かの指示を操作部１２から受け付ける。他の画像をプリントする旨の指示があった場合はＳ１に戻り追加の注文情報の入力を受け付ける。他の画像をプリントしない旨の指示があった場合はＳ７に移行する。
【００４２】
Ｓ７では、料金決済部１４を制御し、残高ＲをＲ−Ｆに更新して所定の記憶媒体に記憶する。Ｓ８では、プリント種類Ｐ、枚数ｎ、画像Ｉに従ってプリントデータを作成し、プリント出力部１３に出力する。プリント出力部１３はこのデータに基づいてプリントを行う。Ｓ９では、他のプリント種類で画像をプリントするか否かの指定を促す表示を表示部１５に表示させる。操作部１２は他のプリント種類で画像をプリントするか否かの指定を受け付ける。他のプリント種類で画像をプリントする指定がされた場合はＳ０に戻り、指定がされなかった場合はこの処理を終了する。なお、Ｓ７では、プリント種類毎に残高Ｒを更新しているが、このＳ７の代わりに、Ｓ０からＳ９の繰り返しで算出された各プリント種類の料金を合算した料金をＳ９の後で一括更新してもよい。
【００４３】
なお、以上の処理ステップＳ０〜９を処理部１７に実行させるプログラムは、記憶部１６の他、ＣＤ−ＲＯＭ、ＭＯ、ＤＶＤその他の図示しないコンピュータ読み取り可能な記憶媒体に記憶させて提供してもよい。
【００４４】
以上の処理によると、ユーザの指定したプリント種類Ｐに対応するプリント単価Ｕｐが残高Ｒから料金Ｆを減じた金額以下の場合、プリント単価Ｕｐのプリントを少なくとも１枚プリントできる旨を表示して追加注文を促すため、ユーザに残高Ｒの範囲内でプリント注文の追加を受け付けることができ、残高Ｒを超える１０円未満の端数を現金で追加支払させるなどの手間を減らすことが期待される。
【００４５】
＜第２実施形態＞
第１実施形態では、料金決済部１４はプリペイド処理装置であったが、料金決済部１４は利用料金として投入される硬貨や紙幣を受け取り、処理部１７の指示に応じて１０円単位の釣り銭の返却を行う現金決済装置であってもよい。この場合、料金Ｆに１０円未満の端数ａがでる場合、ユーザからは端数ａを切り上げた額Ｆ＋１０−ａを決済し、ユーザから余分に徴収した差額ｄ＝１０−ａをポイントとして利用できるようにすることもできる。図３は、本発明の好ましい他の実施形態に係るプリント装置１の処理部１７の実行する処理の流れを示すフローチャートである。
【００４６】
Ｓ１０では、差額ｄ＝０（ｄは０以上の整数）として記憶部１６に記憶する。Ｓ１１〜Ｓ１３では、プリント種類Ｐ（単価Ｕｐ）についてプリントする画像Ｉ及び画像Ｉのプリント枚数ｎを選択・指定させる。この処理は所望の注文が完了するまで繰り返され、注文が完了するとＳ１４に移行する。Ｓ１４では、料金Ｆ＝Ｕｐ×ｎを算出する。Ｓ１５では、料金Ｆの１０円未満の端数ａを記憶部１６に記憶する。
【００４７】
Ｓ１６では、Ｆ＝Ｆ＋１０−ａとして記憶部１６に記憶する。即ち、料金Ｆの１０円未満の端数ａを切り上げる。Ｓ１７では、料金Ｆを表示部１５に表示し、現金受取装置に投入するよう要求する。Ｓ１８では、投入された金額から料金Ｆを差し引いた釣り銭を返却する。上述のように１０円未満の端数ａは１０円に切り上げられているので、釣り銭は１０円単位で返却することができる。Ｓ１９では、記憶部１６に記憶された差額ｄ＝１０−ａを記載したレシートを発行する。このレシートをプリント装置１の設置店などに持参することで、ポイント券として差額ｄ相当額の利用を行えるようにする。
【００４８】
Ｓ２０では、プリント種類Ｐ、枚数ｎ、画像Ｉに従ってプリント出力用データを作成し、プリント出力部１３に出力する。プリント出力部１３はこのデータに基づいてプリントを行う。
【００４９】
なお、以上の処理ステップＳ１０〜２０を処理部１７に実行させるプログラムは、記憶部１６の他、ＣＤ−ＲＯＭ、ＭＯ、ＤＶＤその他の図示しないコンピュータ読み取り可能な記憶媒体に記憶させて提供してもよい。
【００５０】
従来では、１円単位で単価が設定されておりかつ１０円未満の釣り銭返却が不可能であれば、１０円未満の端数を切り捨ててプリント装置１の管理者が不利益を被るか、あるいは１０円未満の端数を切り上げてプリント装置１のユーザが不利益を被っていたが、上記の処理では、プリント装置１の管理者は１０円未満の端数を切り上げて決済できる一方、ユーザは切り上げで生じた差額をポイントとして利用できる。即ち、１円単位の単価設定と１０円未満の釣り銭返却の回避が同時に可能となり、料金に１０円未満の端数が発生しても管理者とユーザ双方の不利益を避けることができる。
【００５１】
＜第３実施形態＞
第２実施形態では端数ａをユーザに明示しなかったが、逆にユーザに端数ａの切り上げが発生することを明示して端数ａがでないように注文を変更するよう促すこともできる。図４は、本発明の好ましい他の実施形態に係るプリント装置１の処理部１７の実行する処理の流れを示すフローチャートである。
【００５２】
Ｓ２１〜Ｓ２５は、それぞれ第２実施形態のＳ１１〜Ｓ１５と同様である。Ｓ２６では、料金Ｆの端数ａを切り上げた額Ｆ＋１０−ａ及び料金Ｆを表示部１５に表示させる。これに加え、端数ａがでないように（即ち切り上げがないように）注文を変更することもできる旨を表示させてもよい。例えば、現在の注文だと料金は単価１５円の１円単位を切り上げた２０円となるが、プリント枚数をもう１枚増やすと料金は３０円となり、端数ａがでない分切り上げがなく得する旨を表示するなど、端数ａがでない注文内容を表示部１５に例示させてもよい。なお、料金Ｆの代わりに料金Ｆの端数ａや、切り上げのためにユーザに余分に負担させる差額１０−ａを表示してもよい。Ｓ２７では、注文を変更するか否かの指示を操作部１２から受け付ける。注文を変更する指示がされた場合はＳ２２に戻り、注文を変更しない指示がされた場合はＳ２８に移行する。Ｓ２８は第２実施形態のＳ１６と同様である。Ｓ２９〜Ｓ３２は、それぞれ第２実施形態のＳ１７〜Ｓ２０と同様である。ただし、Ｓ３１では、第２実施形態のＳ１９と異なり、レシートには差額ｄを印刷しなくてもよい。
【００５３】
なお、以上の処理ステップＳ２１〜３２を処理部１７に実行させるプログラムは、記憶部１６の他、ＣＤ−ＲＯＭ、ＭＯ、ＤＶＤその他の図示しないコンピュータ読み取り可能な記憶媒体に記憶させて提供してもよい。
【００５４】
以上の処理によると、端数ａの切り上げによるユーザの不利益を最小限にさせるため、端数ａが出ないように注文内容を変えるよう促すことができる。
【００５５】
＜第４実施形態＞
第２及び第３実施形態では端数ａを強制的に切り上げた額を決済していたが、料金の大小に応じて端数ａを１０円に切り上げるかあるいは切り捨てるようにしてもよい。図５は、本発明の好ましい他の実施形態に係るプリント装置１の処理部１７の実行する処理の流れを示すフローチャートである。
【００５６】
Ｓ４１〜Ｓ４５は、第２実施形態のＳ１１〜Ｓ１５と同様であるが、本実施形態では枚数をｎｐ、プリント種類Ｐに対応する料金をＦｐ＝Ｕｐ×ｎｐ、Ｆｐの１０円未満の端数をａｐ、画像をＩｐで表す。Ｓ４６では、プリント種類Ｐに対応する料金Ｆｐが所定の閾値Ｆ０を超えるか否かを判断する。この閾値Ｆ０は予め記憶部１６に記憶されており、プリント装置１の管理者が操作部１２の操作などで任意に設定できる。Ｆｐ＞Ｆ０の場合はＳ４７に移行し、Ｆｐ≦Ｆ０の場合はＳ４８に移行する。Ｓ４７では、Ｆｐ＝Ｆｐ−ａｐとして記憶部１６に記憶する。即ち、料金Ｆｐの１０円未満の端数ａｐを切り捨てる。Ｓ４８では、Ｆｐ＝Ｆｐ＋１０−ａｐとして記憶部１６に記憶する。即ち、料金Ｆｐの１０円未満の端数ａを切り上げる。
【００５７】
Ｓ４９では、料金Ｆｐを表示部１５に表示し、現金受取装置に投入するよう要求する。Ｓ５０では、投入された金額から料金Ｆｐを差し引いた釣り銭を返却する。Ｓ５１では、料金Ｆと投入額と釣り銭額を記載したレシートを発行する。
【００５８】
Ｓ５２では、プリント種類Ｐ、枚数ｎｐ、画像Ｉｐに従ってプリント出力用データを作成し、プリント出力部１３に出力する。プリント出力部１３はこのデータに基づいてプリントを行う。
【００５９】
なお、以上の処理ステップＳ４１〜５２を処理部１７に実行させるプログラムは、記憶部１６の他、ＣＤ−ＲＯＭ、ＭＯ、ＤＶＤその他の図示しないコンピュータ読み取り可能な記憶媒体に記憶させて提供してもよい。
【００６０】
以上の処理ステップにより、料金Ｆｐが閾値Ｆ０以下の場合はユーザが端数ａｐの切り上げ額を負担し、料金Ｆｐが閾値Ｆ０よりも大きい場合はプリント装置１の管理者が端数ａｐの切り捨て額を負担する。即ち、料金Ｆｐの大小に応じて端数ａｐの切り上げ・切り捨ての負担をユーザ又はプリント装置１の管理者に公平に分担させることが可能となる。
【００６１】
なお、Ｓ４７では、プリント種類Ｐ毎に料金Ｆｐの端数ａｐを切り捨てているが、このＳ４７の代わりに、各プリントの種類に対応した料金Ｆｐを全て合計したΣＦｐを算出し、ΣＦｐがＦ０を超える場合はΣＦｐから１０円未満の端数を切り捨てた額を合計決済額とし、ΣＦｐがＦ０を超えない場合はΣＦｐから１０円未満の端数を切り上げた額を合計決済額としてもよい。Ｓ４９では、合計決済額を表示部１５に表示して現金受取装置に投入するよう要求し、Ｓ５０では、投入された金額から合計決済額を差し引いた釣り銭を返却すればよい。こうすれば、プリントの種類に対応する端数ａｐが個々に切り捨てられて切捨て額の総計が増大し、プリント装置１の管理者の負担が過大となるのを防止できるとともに、利用者もプリント種類ごとに切り上げの負担をせずに済む。
【００６２】
また、Ｓ４６では、プリント種類Ｐに対応する料金Ｆｐが所定の閾値Ｆ０を超えるか否かを判断する代わりに、プリント枚数ｎｐが所定の閾値ｎ０を超えるか否かを判断し、ｎｐ＞ｎ０の場合はＳ４７に移行し、ｎｐ≦ｎ０の場合はＳ４８に移行するようにしてもよい。この場合、プリント枚数ｎｐの大小に応じて端数ａｐの切り上げ・切り捨ての負担をユーザ又はプリント装置１の管理者に公平に分担させることが可能となる。
【００６３】
＜第５実施形態＞
第２実施形態では差額ｄ＝１０−ａをレシートに印刷して次回利用できるようにしていたが、差額ｄを次回の決済料金から割り引いてもよい。図６は、本発明の好ましい他の実施形態に係るプリント装置１の処理部１７の実行する処理の流れを示すフローチャートである。
【００６４】
Ｓ６０〜Ｓ６４はそれぞれ第２実施形態のＳ１０〜Ｓ１４と同様である。Ｓ６５では、ｄ＞０か否かを判断する。ｄ＞０の場合はＳ６６に移行し、ｄ＝０の場合はＳ６７に移行する。Ｓ６６では、料金ＦをＦ−ｄに更新する。即ち、料金Ｆから差額ｄを割り引く。
【００６５】
Ｓ６７〜Ｓ７２はそれぞれ第２実施形態のＳ１５〜Ｓ２０と同様である。ただし、Ｓ７１では、第２実施形態のＳ１９と異なり、レシートには差額ｄを印刷しなくてもよい。Ｓ７３では、差額ｄ＝１０−ａとして記憶部１６に記憶する。即ち、Ｓ６８で端数ａを１０円に切り上げてユーザに負担させた額を差額ｄとする。Ｓ７４は第１実施形態のＳ９と同様、他のプリント種類で画像をプリントするか否かの指定を受け付ける。他のプリント種類で画像をプリントする指定がされた場合はＳ６１に戻り、指定がされなかった場合はこの処理を終了する。
【００６６】
なお、以上の処理ステップＳ６０〜７４を処理部１７に実行させるプログラムは、記憶部１６の他、ＣＤ−ＲＯＭ、ＭＯ、ＤＶＤその他の図示しないコンピュータ読み取り可能な記憶媒体に記憶させて提供してもよい。
【００６７】
以上のように、端数ａを切り上げてユーザが負担した差額を次回の料金から割り引くことで、ユーザが切り上げにより負担した額を実質的に相殺できる。
【００６８】
なお、記憶部１６に記憶された差額ｄを利用できるのは、Ｓ６１〜Ｓ７４が繰り返される範囲であるが、Ｓ７３でコンピュータ読み取り可能な記録媒体にｄを記録しておき、Ｓ６０でｄ＝０とする代わりにこの記録媒体からｄを読みこみ、Ｓ６６では料金Ｆから読みこんだｄを控除してもよい。例えば、差額ｄは、画像入力部１１に挿入される記録メディアに記憶させ、その記録メディアから差額ｄを読み取って控除してもよい。あるいは、差額ｄを磁気記録カードに記録する専用の磁気記録カードライタをプリント装置１に設け、その磁気記録カードに記録された差額ｄを読み取って控除してもよい。
【００６９】
あるいは、記憶部１６に、ユーザに一意的に付与されたユーザＩＤとそのユーザの差額ｄとを対応づけてコンピュータ読み取り可能な記録媒体に記録させ、プリント装置１がプリント注文時にユーザをユーザＩＤ及びパスワードで認証することで認証されたユーザＩＤに対応する差額ｄを記録媒体から読みこんで料金Ｆから読みこんだｄを控除してもよい。
【００７０】
あるいは、プリント装置１とネットワーク接続された図示しないサーバに、ユーザに一意的に付与されたユーザＩＤとそのユーザの差額ｄとを対応づけて記憶させ、そのユーザをプリント注文時にユーザＩＤ及びパスワードで認証し、認証されたユーザＩＤに対応する差額ｄをサーバから読みこんで料金Ｆからこのｄを控除してもよい。差額ｄは、サーバに接続されていればどのプリント装置１でも利用できるようにすることが好ましい。以上のように、差額ｄを別のプリント注文の機会でも利用できるようにすれば、ユーザが繰り返しプリント装置１を利用する動機付けともなる。
【図面の簡単な説明】
【００７１】
【図１】本発明の好ましい実施形態に係るプリント装置の機能構成図
【図２】第１実施形態に係るプリント装置が実行する処理の流れを示すフローチャート
【図３】第２実施形態に係るプリント装置が実行する処理の流れを示すフローチャート
【図４】第３実施形態に係るプリント装置が実行する処理の流れを示すフローチャート
【図５】第４実施形態に係るプリント装置が実行する処理の流れを示すフローチャート
【図６】第５実施形態に係るプリント装置が実行する処理の流れを示すフローチャート
【符号の説明】
【００７２】
１４：料金決済部、１７：処理部
【図１】
2005309830.tif 000003
【図２】
2005309830.tif 000004
【図３】
2005309830.tif 000005
【図４】
2005309830.tif 000006
【図５】
2005309830.tif 000007
【図６】
2005309830.tif 000008